(57)【特許請求の範囲】
【請求項１】
仮設足場を構成する作業布板の長さ方向の端部に配置され、前記作業布板の本体に取り付けられる端部材であって、それぞれが前記本体に結合される上側水平部及び下側水平部と、この下側水平部の先端よりも前記作業布板の長さ方向外側へ突出している前記上側水平部の先端と前記下側水平部の前記先端とを斜めに連結している傾斜連結部とを有し、板金の折り曲げにより形成されている仮設足場用作業布板の端部材において、
前記下側水平部から立ち上がり、上端が前記上側水平部の下面に結合されている立上り部を有し、この立上り部が、前記下側水平部との接続部となっている下端でこの下側水平部から折り曲げることにより形成されており、
前記立上り部は、鉛直方向に対して傾いた傾き角度をもって前記下側水平部から立ち上がっており、この立上り部の鉛直方向からの傾き方向は、前記傾斜連結部の鉛直方向からの傾き方向と反対側になっていることを特徴とする仮設足場用作業布板の端部材。
【請求項２】
請求項１に記載の仮設足場用作業布板の端部材において、前記立上り部が、前記作業布板の幅方向の両側に２個設けられていることを特徴とする仮設足場用作業布板の端部材。
【請求項３】
請求項１又２に記載の仮設足場用作業布板の端部材において、前記立上り部の前記上端が、前記上側水平部の前記下面に溶接で結合されていることを特徴とする仮設足場用作業布板の端部材。
【請求項４】
請求項１〜３のいずれかに記載の仮設足場用作業布板の端部材において、前記立上り部には、エンボス加工により形成された補強部が設けられていることを特徴とする仮設足場用作業布板の端部材。
【請求項５】
請求項４に記載の仮設足場用作業布板の端部材において、前記補強部は、縦長の形状となっていることを特徴とする仮設足場用作業布板の端部材。
【発明の詳細な説明】
【技術分野】
【０００１】
本発明は、建築や土木等の作業現場で構築される仮設足場に作業者用歩行通路等を形成する際に用いられる作業布板のための端部材に関する。
【背景技術】
【０００２】
建築や土木等の作業現場で構築される仮設足場は、作業者用歩行通路等を形成するための作業布板が用いられて構成される。この作業布板は、本体と端部材とを含んで構成され、端部材は、作業布板の長さ方向の端部に配置されて本体に取り付けられる。
【０００３】
下記の特許文献１に示されている作業布板の端部材は、それぞれの基部が本体に結合される上側水平部及び下側水平部と、この下側水平部の先端よりも作業布板の長さ方向外側へ突出している上側水平部の先端と下側水平部の先端とを斜めに連結している傾斜連結部とを有し、この端部材全体は、板金の折り曲げにより形成されている。
【先行技術文献】
【特許文献】
【０００４】
【特許文献１】特開２０１２−１４０８５９号公報（００３６段落、図４）
【発明の概要】
【発明が解決しようとする課題】
【０００５】
作業布板の端部材の上には、本体と同様に、作業者が乗るため、端部材は、大きな重量に対する充分の強度を備えていることが求められる。しかし、このような充分の強度を得るために多くの材料と手間が必要となる構造は、コストの点で好ましくなく、上記特許文献１と同様に、端部材を板金の折り曲げ品とするためには、折り曲げを利用する構造が望まれる。
【０００６】
本発明の目的は、充分の強度を備え、かつこの強度を板金の折り曲げによって確保できるようになる仮設足場用作業布板の端部材を提供するところにある。
【課題を解決するための手段】
【０００７】
本発明に係る仮設足場用作業布板の端部材は、仮設足場を構成する作業布板の長さ方向の端部に配置され、前記作業布板の本体に取り付けられる端部材であって、それぞれが前記本体に結合される上側水平部及び下側水平部と、この下側水平部の先端よりも前記作業布板の長さ方向外側へ突出している前記上側水平部の先端と前記下側水平部の前記先端とを斜めに連結している傾斜連結部とを有し、板金の折り曲げにより形成されている仮設足場用作業布板の端部材において、前記下側水平部から立ち上がり、上端が前記上側水平部の下面に結合されている立上り部を有し、この立上り部が、前記下側水平部との接続部となっている下端でこの下側水平部から折り曲げることにより形成されていることを特徴とするものである。
【０００８】
この仮設足場用作業布板の端部材は、下側水平部から立ち上がり、上端が上側水平部の下面に結合されている立上り部を有しているため、この立上り部により、端部材の上に乗る作業者の重量等による大きな荷重に対する充分の強度を確保できるようになる。
【０００９】
また、立上り部は、下側水平部との接続部となっている下端でこの下側水平部から折り曲げることにより形成されているため、板金の折り曲げ品となっている端部材を製造する際に、板金の折り曲げにより立上り部も形成することができることになり、このため、充分の強度を板金の折り曲げによって得られるとともに、端部材の材料である板金の歩留まりを向上させて、安価なコストで端部材を製造できるようになる。
【００１０】
以上の本発明において、立上り部の個数は１個でもよいが、立上り部を作業布板の幅方向の両側に設けることにより、立上り部の個数を２個としてもよい。
【００１１】
このように立上り部を作業布板の幅方向の両側に２個設けると、端部材の強度を一層大きくできる。
【００１２】
また、立上り部の上端を上側水平部の下面に結合することは、任意の結合手段により行うことができ、その一例は、立上り部の上端を上側水平部の下面に溶接で結合することであり、ほかの例は、立上り部の上端を上側水平部の下面にビスやリベット等の止着具で結合することである。しかし、立上り部の上端を上側水平部の下面に溶接で結合すると、立上り部と上側水平部とを、簡単な作業により大きな強度で結合することができる。
【００１３】
また、立上り部には、エンボス加工により形成された補強部を設けることが好ましい。
【００１４】
これによると、立上り部は、端部材の上に乗る作業者の重量等による大きな荷重を充分に受けることができる強度を補強部によって備えることになり、また、端部材全体の強度も大きくすることができる。また、補強部をエンボス加工により形成すると、このエンボス加工は、端部材の材料である板金に簡単に行うことができる加工であるため、立上り部に簡単な作業で補強部を設けることができる。
【００１５】
さらに、このように立上り部にエンボス加工による補強部を設ける場合には、この補強部は任意の形状のものでよいが、補強部を縦長の形状とすることが好ましい。
【００１６】
このように補強部を縦長の形状とすると、立上り部は、上からの荷重に対して座屈が生じにくいものとなり、このため、端部材の上に乗る作業者の重量等による大きな荷重を一層充分に受けることができる強度を立上り部に付与できる。
【００１７】
また、本発明において、立上り部を、下側水平部から鉛直に立ち上がったものとしてもよいが、立上り部を、鉛直方向に対して傾いた傾き角度をもって下側水平部から立ち上がったものとし、この立上り部の鉛直方向からの傾き方向を、前述した傾斜連結部の鉛直方向からの傾き方向と反対側にすることが好ましい。
【００１８】
このように立上り部を、鉛直方向に対して傾いた傾き角度をもって下側水平部から立ち上がったものとし、この立上り部の鉛直方向からの傾き方向を、傾斜連結部の鉛直方向からの傾き方向と反対側にすると、端部材に下向きに作用する作業者の重量等による大きな荷重を、立上り部と傾斜連結部とにより有効に支持することができるようになる。
【００１９】
以上説明した本発明に係る端部材が使用される作業布板は、建築の作業現場や、土木の作業現場、解体の作業現場、塗装の作業現場等の任意の作業現場で構築される仮設足場に用いることができる。
【発明の効果】
【００２０】
本発明によると、作業布板の端部材が充分の強度を備えるようになり、しかもこの強度を、端部材の材料となっている板金の折り曲げによって確保できるようになるという効果を得られる。
【図面の簡単な説明】
【００２１】
【図１】図１は、本発明の一実施形態に係る作業布板が用いられて構築されている仮設足場を示す斜視図である。
【図２】図２は、作業布板の平面図である。
【図３】図３は、作業布板の底面図である。
【図４】図４は、作業布板の側面図である。
【図５】図５は、図２のＳ５−Ｓ５線断面図である。
【図６】図６は、作業布板の本体を二点鎖線で示した端部材の斜視図である。
【図７】図７は、端部材の正面図である。
【図８】図８は、端部材の背面図である。
【図９】図９は、図６のＳ９−Ｓ９線断面図である。
【図１０】図１０は、図６のＳ１０−Ｓ１０線断面図である。
【図１１】図１１は、図６の要部拡大図である。
【発明を実施するための形態】
【００２２】
以下に本発明を実施するための形態を図面に基づいて説明する。図１には、建築等の作業現場で構築されている仮設足場の一部が示されており、作業対象物の外周に構築されたこの仮設足場は、複数本の支柱１と、これらの支柱１ごとに支柱１の下端に配置され、それぞれの支柱１の高さを調整するためのジャッキベース２と、作業者が乗って作業するための作業布板３とを含んで構築されている。それぞれ支柱１の外周面には、継手部材となっている複数個のフランジ４が上下方向に等間隔で結合されており、また、それぞれの支柱１の上端には、図示しない継ぎ足し用支柱の下端が図示しない連結パイプを介して連結され、これらの継ぎ足し用支柱により仮設足場の大きな高さ寸法が確保される。
【００２３】
作業布板３は、複数個の作業布板３が長さ方向や幅方向に並設されることにより作業者歩行通路５を形成するものであり、図１に示されている作業布板３には、幅寸法が大きい作業布板３Ａと、幅寸法が小さい作業布板３Ｂとがある。これらの作業布板３Ａ，３Ｂの長さ方向の両端部には、作業布板３Ａ，３Ｂごとに２個のフック部材６が、作業布板３Ａ，３Ｂの幅方向両側において設けられている。これらのフック部材６は、複数本の支柱１のうち、作業布板３Ａ，３Ｂの幅方向両側に立設されている２本の支柱１のフランジ４に架け渡されている横架材７に係止され、これにより、それぞれの作業布板３Ａ，３Ｂは、仮設足場に水平に配置されている。
【００２４】
図２、図３及び図４には、作業布板３Ａの平面図、底面図及び側面図が示されている。これらの図２〜図４に示されているように、作業布板３Ａは、作業布板３Ａの長さ方向の中央部に配置され、作業布板３Ａの全長の大部分を占めている本体１０と、作業布板３Ａの長さ方向の両端部に配置され、本体１０に取り付けられている端部材１１とを有するものとなっている。
【００２５】
図５は、図２のＳ５−Ｓ５線断面図であり、この図５から分かるように、本体１０は、作業布板３Ａの幅方向に並設された２個の踏み部材１２からなり、これらの踏み部材１２は、板金を折り曲げることにより形成されているため、それぞれの踏み部材１２は、作業者が乗る上面部１２Ａと、この上面部１２Ａの幅方向の両端部から下側へ折り曲げられることより下方へ延びている側面部１２Ｂ，１２Ｃと、これらの側面部１２Ｂ，１２Ｃの下端から互いに向かい合う方向へ折り曲げられることにより、踏み部材１２の幅方向内側へ延びている下面部１２Ｄ，１２Ｅと、これらの下面部１２Ｄ，１２Ｅの先端から上側へ折り曲げられることにより上方へ起立している起立部１２Ｆ，１２Ｇとを有している。図３に示されているように、隙間１３をあけて作業布板３Ａの幅方向に並設されている２個の踏み部材１２の下面部１２Ｄ，１２Ｅには、本体１０の幅方向を長さ方向とする板金製の連結部材１４が配置され、本体１０の長さ方向に２個並設されている連結部材１４が、それぞれの踏み部材１２の下面部１２Ｄ，１２Ｅに溶接で結合されることにより、２個の踏み部材１２が連結部材１４により結合されている。
【００２６】
なお、図２に示されているように、板金で形成されているそれぞれの踏み部材１２における作業者が乗る上面部１２Ａには、補強部にもなっている滑り止め部１５がエンボス加工により上向きの凸部として形成されており、また、図３及び図５に示されているように、板金製の連結部材１４には、補強部１６がエンボス加工により形成されている。
【００２７】
図５に示されているように、それぞれの踏み部材１２において、下面部１２Ｄ，１２Ｅについての作業布板３Ａの幅方向の長さは、上面部１２Ａについての作業布板３Ａの幅方向の長さよりも短いため、２個の起立部１２Ｆ，１２Ｇの間には、空間部１７が設けられている。
【００２８】
図１で説明したように、作業布板３Ａの幅方向の両側に２個設けられているフック部材６は、厚板材により形成されており、これらのフック部材６は、図５に示されているように、それぞれ踏み部材１２における作業布板３Ａの幅方向外側の側面部１２Ｂの内側に配置され、それぞれのフック部材６の基部は、図３及び図４で示されているリベット等の止着具１８により側面部１２Ｂに止着されている。それぞれの踏み部材１２から作業布板３Ａの長さ方向外側に突出しているフック部材６の先端部には、図１で示した横架材７が挿入係止される図４の凹部１９が形成されており、フック部材６には、横架材７が挿入されたときの凹部１９の下部を塞ぐことにより横架材７の脱落を防止するためのロック部材２０がピン２１により遊動可能に配置されている。
【００２９】
なお、図２及び図３から分かるように、作業布板３Ａの幅方向の両側に２個設けられているフック部材６のうち、一方のフック部材６Ａの先端部に対して他方のフック部材６Ｂの先端部は、折り曲げ等により作業布板３Ａの幅方向内側に少しずれている。このように２個のフック部材６のうち、一方のフック部材６Ａの先端部に対して他方のフック部材６Ｂの先端部を作業布板３Ａの幅方向内側に少しずらしている理由は、２個の作業布板３Ａを、図１に示されているように、これらの作業布板３Ａの長さ方向に並設したときに、同じ横架材７に係止したフック部材６同士が干渉しないようにするためである。
【００３０】
作業布板３Ａの本体１０の長さ方向の両端部に取り付けられている前述の端部材１１は、本体１０を形成している踏み部材１２と同様に、板金を折り曲げることにより形成されている。すなわち、端部材１１の材料である板金を、端部材１１を展開したときの形状と同じになっている所定形状に打ち抜き、この後に、この打ち抜きによって得られた板金を折り曲げることにより端部材１１が製造されている。
【００３１】
図６には、端部材１１の斜視図が示されており、図７は、端部材１１の正面図であり、図８は、端部材１１の背面図である。また、図９、図６のＳ９−Ｓ９線断面図であり、図１０は、図６のＳ１０−Ｓ１０線断面図である。これらの図６〜図１０に示されているように、端部材１１は、本体１０から作業布板３Ａの長さ方向へ延びている上側水平部３０と、本体１０から作業布板３Ａの長さ方向へ延びている下側水平部３１と、これらの上側水平部３０の先端と下側水平部３１の先端とを斜めに連結している傾斜連結部３２とを有し、図９及び図１０から分かるように、上側水平部３０の先端は、下側水平部３１の先端よりも前記作業布板３Ａの長さ方向外側へ突出しているため、傾斜連結部３２は、上側水平部３０の先端から下側へ延びるにしたがい作業布板３Ａの長さ方向内側に向かう方向に傾斜している。
【００３２】
端部材１１についての作業布板３Ａの幅方向の長さは、本体１０についての作業布板３Ａの幅方向の幅寸法と同じ又はこの幅寸法よりも少し短くなっており、図６に示されているように、端部材１１における作業布板３Ａの幅方向の両側には、上側水平部３０の先端部側及び下側水平部３１の先端部側において、作業布板３Ａの幅方向内側へ切り込まれた切込み部３３が形成されている。そして、これらの切込み部３３と一致又は略一致する箇所において、下側水平部３１からは立上り部３４が立ち上がっており、これらの立上り部３４の上端は、図９及び図１０に示されているように、上側水平部３０の下面に溶接されており、このため、立上り部３４と上側水平部３０の下面との結合部は、溶接部３５となっている。
【００３３】
なお、図７に示されているように、端部材１１における作業布板３Ａの幅方向の両側に２個設けられている立上り部３４のうち、一方の立上り部３４Ａに対して他方の立上り部３４Ｂは、作業布板３Ａの幅方向内側に少しずれている。このように一方の立上り部３４Ａに対して他方の立上り部３４Ｂを作業布板３Ａの幅方向内側に少しずらした理由は、前述したように、作業布板３Ａの幅方向の両側に２個設けられているフック部材６のうち、一方のフック部材６Ａの先端部に対して他方のフック部材６Ｂの先端部が作業布板３Ａの幅方向内側に少しずれているため、立上り部３４Ｂと、フック部材６Ｂの先端部及びこの先端部に配置されている前述のロック部材２０とが干渉しないようにするためである。
【００３４】
そして、本実施形態のそれぞれの立上り部３４は、下側水平部３１との接続部となっている図６の下端３６でこの下側水平部から折り曲げることにより形成されている。これについて図６の要部を拡大している図１１により説明すると、前述したように端部材１１は、端部材１１の材料である板金を、端部材１１を展開したときの形状と同じになっている所定形状に打ち抜き、この後に、この打ち抜きによって得られた板金を折り曲げることにより製造されるが、この打ち抜きを、立上り部３４となる部分３４’（図１１の二点鎖線で示した部分）を残して行う。次いで、打ち抜きによって得られた板金を折り曲げることによって上側水平部３０と下側水平部３１と傾斜連結部３２とを形成し、この後に、下側水平部３１との接続部となっている下端３６から部分３４’を上側へ折り曲げ、これにより、下端３６で下側水平部３１と接続されている立上り部３４を形成し、次いで、前述したように、立上り部３４の上端を溶接により上側水平部３０の下面に結合する。
【００３５】
また、本実施形態の立上り部３４は、図１０に示されているように、下側水平部３１から鉛直線Ｎに沿って鉛直方向に立ち上がっておらず、鉛直方向に対して傾いた傾き角度をもって下側水平部３１から立ち上がっており、この立上り部３４の鉛直方向からの傾き方向は、傾斜連結部３２の鉛直方向からの傾き方向と反対側になっている。
【００３６】
また、本実施形態の端部材１１には、下側水平部３１の後端部において、すなわち、下側水平部３１における作業布板３Ａの長さ方向の両端部のうち、作業布板３Ａの長さ方向内側の端部において、上側へ突出した突条３７が設けられており、この突条３７も下側水平部３１からの折り曲げによりで形成されている。このような突条３７は、図８に示されているように、下側水平部３１における作業布板３Ａの幅方向全長に渡って設けられておらず、下側水平部３１における作業布板３Ａの幅方向の両端部と、下側水平部３１における作業布板３Ａの幅方向中央部とを除く箇所に突条３７が設けられており、このため、作業布板３Ａの幅方向の間隔をあけて２個の突条３７が下側水平部３１に形成されている。
【００３７】
本体１０における作業布板３Ａの長さ方向の両端部に端部材１１を取り付けるためには、本体１０を形成するために図３の連結部材１４で作業布板３Ａの幅方向に連結されているそれぞれの踏み部材１２の２個の起立部１２Ｆ，１２Ｇの間に、図８に示されているように、突条３７を挿入しながら、これらの踏み部材１２の上面部１２Ａと下面部１２Ｄ，１２Ｅを端部材１１の上側水平部３０と下側水平部３１との間に挿入し、互いに作業布板３Ａの幅方向に当接する突条３７と起立部１２Ｆ，１２Ｇとにより、本体１０と端部材１１とを作業布板３Ａの幅方向に位置決めした後に、踏み部材１２の上面部１２Ａと端部材１１の上側水平部３０とを溶接で結合し、踏み部材１２の下面部１２Ｄ，１２Ｅと端部材１１の下側水平部３１とを溶接で結合する。
【００３８】
これにより、本体１０における作業布板３Ａの長さ方向の両端部に端部材１１が取り付けられたことになる。
【００３９】
なお、本実施形態では、図６に示されているように、端部材１１の上側水平部３０には、この上側水平部３０の上に乗った作業者が滑ることを防止するための滑り止め部４０が、端部材１１の材料である板金のエンボス加工により上向きの凸部として形成されており、この滑り止め部４０には、作業布板３Ａの幅方向の長さが長い滑り止め部４０Ａと、作業布板３Ａの幅方向の長さが短い滑り止め部４０Ｂとがある。
【００４０】
また、それぞれの立上り部３４には、図６及び図１１に示されているように、端部材１１の材料である板金のエンボス加工により補強部４１が設けられており、この補強部４１は、縦長の形状となっている。
【００４１】
以上説明した本実施形態に係る端部材１１は、下側水平部３１から立ち上がり、上端が上側水平部３０の下面に結合されている立上り部３４を有しているため、この立上り部３４により、端部材１１の上に乗る作業者の重量等による大きな荷重に対する充分の強度を確保できる。
【００４２】
また、立上り部３４は、下側水平部３１との接続部となっている下端３６でこの下側水平部３１から折り曲げることにより形成されているため、板金の折り曲げ品となっている端部材１１を製造する際に、板金の折り曲げにより立上り部３４も形成できることになり、このため、充分の強度を板金の折り曲げによって得られ、また、端部材１１の材料である板金の歩留まりを向上させて、安価なコストで端部材１１を製造できるようになる。
【００４３】
また、立上り部３４は、作業布板３Ａの幅方向の両側に２個設けられているため、端部材１１の強度を一層大きくできる。
【００４４】
さらに、立上り部３４の上端を上側水平部３０の下面に結合することは、溶接によりお行われているため、立上り部３４と上側水平部３０とを、簡単な作業である溶接作業により大きな強度で結合することができる。
【００４５】
また、立上り部３４には、補強部４１を設けられているため、立上り部３４は、端部材１１の上に乗る作業者の重量等による大きな荷重を充分に受けることができる強度を補強部４１によって備えることになり、また、端部材１１全体の強度も大きくすることができる。また、補強部４１は、端部材の材料である板金にエンボス加工により形成されているため、立上り部３４に補強部４１を簡単な作業によって設けることができる。
【００４６】
さらに、補強部４１は縦長の形状となっているため、立上り部３４は、上からの荷重に対して座屈が生じにくいものとなり、このため、端部材の上に乗る作業者の重量等による大きな荷重を一層充分に受けることができる強度を立上り部３４に付与できる。
【００４７】
また、本実施形態の立上り部３４は、前述したように、下側水平部３１から鉛直線Ｎに沿って鉛直方向に立ち上がっておらず、鉛直方向に対して傾いた傾き角度をもって下側水平部３１から立ち上がっているとともに、この立上り部３４の鉛直方向からの傾き方向は、上側水平部３０の先端と下側水平部３１の先端とを斜めに連結している傾斜連結部３２の鉛直方向からの傾き方向と反対側になっていため、立上り部３４と傾斜連結部３２とに作業者の重量等による荷重が作用したときに、立上り部３４に作用する荷重のうち、水平方向の成分の向きと、傾斜連結部３２に作用する荷重のうち、水平方向の成分の向きとを、これらの成分を相殺させる互いに逆の向きにすることができ、このため、立上り部３４と傾斜連結部３２に作用する荷重の支持を、これらの立上り部３４と傾斜連結部３２により一層有効に行うことができる。
【００４８】
以上説明した実施形態は、図１で示されている幅寸法が大きい作業布板３Ａと、幅寸法が小さい作業布板３Ｂとのうち、幅寸法が大きい作業布板３Ａについてであったが、幅寸法が小さい作業布板３Ｂの本体は、幅寸法が大きい作業布板３Ａの本体を形成するために２個用いられている踏み部材１２の個数が１個となっているものであり、このため、幅寸法が小さい作業布板３Ｂのための端部材は、幅寸法が大きい作業布板３Ａのための端部材１１よりも作業布板３の幅方向の長さが短いだけであり、このため、幅寸法が大きい作業布板３Ａのための端部材１１の立上り部３４に関する構成等は、幅寸法が小さい作業布板３Ｂのための端部材の立上り部を設ける際にもそのまま適用することができる。
【産業上の利用可能性】
【００４９】
本発明は、建築や土木等の作業現場で構築される仮設足場に作業者用歩行通路等を形成するために用いられる作業布板に利用することができる。
【符号の説明】
【００５０】
３，３Ａ，３Ｂ  作業布板
１０  本体
１１  端部材
３０  上側水平部
３１  下側水平部
３２  傾斜連結部
３４，３４Ａ，３４Ｂ  立上り部
３５  溶接部
３６  下端
４１  補強部
Ｎ  鉛直線
【図１】
0006563686.tif 000002
【図２】
0006563686.tif 000003
【図３】
0006563686.tif 000004
【図４】
0006563686.tif 000005
【図５】
0006563686.tif 000006
【図６】
0006563686.tif 000007
【図７】
0006563686.tif 000008
【図８】
0006563686.tif 000009
【図９】
0006563686.tif 000010
【図１０】
0006563686.tif 000011
【図１１】
0006563686.tif 000012